(57)【特許請求の範囲】
【請求項１】
液体用紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーと送りベルトと回転ドラムとプレートと直進フィーダ部と回転供給手段前段部と上昇ベルト部と回転供給手段後段部とシュートを備えて構成され、
前記ホッパーは口栓を投入する場所で、口栓を落下させ、
前記送りベルトは、ホッパーから落下する口栓を回転ドラム内に供給するものであり、
前記回転ドラムの内部に、円柱状のシャフトが、この回転ドラムの円周に沿って、口栓本体の径よりも若干大きい寸法で等間隔に配置されており、前記回転ドラムはこれを回転することにより前記口栓のキャップをシャフトに引っ掛けて上昇させ、フランジが下の口栓を前記プレートに落下させ、
前記直進フィーダ部は、前記プレートに落下した口栓を前記回転供給手段前段部まで搬送するものであり、
前記回転供給手段前段部は、直進フィーダ部から搬送された口栓の搬送の向きを上方に変えて、前記上昇ベルトに口栓を供給するものであり、
前記上昇ベルト部は口栓を垂直に上昇させるものであり、前記回転供給手段後段部に口栓を供給し、
前記回転供給手段後段部は、上昇ベルト部で上昇してきた口栓の搬送の向きをシュートの方向に変え、前記シュートに口栓を供給し、
前記シュートは前記回転供給手段後段部から供給された口栓を口栓取り付け工程に供給するものであることを特徴とする口栓供給装置。
【請求項２】
液体用紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーと送りベルトとプロフィル付きベルトと選別部を有する直進フィーダ部と回転供給手段前段部と上昇ベルト部と回転供給手段後段部とシュートを備えて構成され、
前記ホッパーは口栓を投入する場所で、口栓を落下させ、
前記送りベルトは、ホッパーから落下する口栓を前記プロフィル付きベルトに供給し、
前記プロフィル付きベルトは、口栓を上昇させ、選別部を有する直進フィーダ部に供給
し、
前記選別部を有する直進フィーダ部は、前記フランジを収容する凹みを下部に有すると共に、前記フランジが上側となる前記口栓を下方に落下させる大きさを有しており、フランジが下側になる前記口栓だけを前記回転供給手段前段部まで搬送し、
前記回転供給手段前段部は、前記ガイド前段で搬送中の口栓の搬送の向きを上方に変えて、前記上昇ベルトに口栓を供給するものであり、
前記上昇ベルト部は口栓を垂直に上昇させるものであり、前記回転供給手段後段部に供給し、
前記回転供給手段後段部は、上昇ベルト部で上昇してきた口栓の搬送の向きをシュートの方向に変え、シュートに口栓を供給するものであり、
前記シュートは前記回転供給手段後段部から供給された口栓を口栓取り付け工程に供給するものであることを特徴とする口栓供給装置。
【請求項３】
液体紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーとパーツフィーダと直線フィーダ部と回転供給手段前段部と上昇ベルト部と回転供給手段後段部とシュートを備えて構成され、
前記ホッパーは口栓を投入する場所で、口栓を落下させ、
前記パーツフィーダは、その容器の内部に螺旋状通路が形成され、その容器に振動を与えることで螺旋状通路に沿って口栓が外周部に向かって移動する構造となっており、螺旋状通路の外壁は前記フランジを収容する凹みを下部に有すると共に、前記フランジが上側となる前記口栓を下方に落下させる大きさを有しており、ホッパーから落下する口栓において、フランジが下側になる前記口栓だけを上方に移動させ、前記直線フィーダに口栓を供給するもので、
前記直線フィーダ部は、前記パーツフィーダから出てきた口栓を前記回転供給手段前段部に口栓を供給するものであり、
前記回転供給手段前段部は、前記直線フィーダの出力の口栓の搬送の向きを上方に変え、前記上昇ベルト部に供給するものであり、
前記上昇ベルト部は口栓を垂直に上昇させ、前記回転供給手段後段部に供給し、
前記回転供給手段後段部は、上昇ベルト部で上昇してきた口栓の搬送の向きをシュートの方向に変え、前記シュートに口栓を供給し、
前記シュートは前記回転供給手段後段から供給された口栓を口栓取り付け工程に供給するものであることを特徴とする口栓供給装置。
【請求項４】
液体用紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーとパーツフィーダと直線フィーダ部と口栓移載前段部とアタッチメント付きタイミングベルトと口栓移載後段部とシュートを備えて構成され、
前記ホッパーは口栓を投入する場所で、口栓を落下させ、
前記パーツフィーダは、その容器の内部に螺旋状通路が形成され、その容器に振動を与えることで螺旋状通路に沿って口栓が外周部に向かって移動する構造となっており、螺旋状通路の外壁は、前記フランジが上側となる前記口栓のフランジの高さより低い側板を備えると共に、前記フランジが下側となる前記口栓を下方に落下させる構造を有しており、ホッパーから落下する口栓において、フランジが上側になる前記口栓だけを、上方に移動させ、前記直線フィーダーに供給するもので、
前記直線フィーダ部は、前記パーツフィーダの出力の口栓を前記口栓移載前段部まで移
動させ、
前記口栓移載前段部は、前記直線フィーダからの口栓を前記アタッチメント付きタイミングベルトのアタッチメントに口栓を移載させるものであり、
前記アタッチメント付きタイミングベルトにはアタッチメントが固定されており、このアタッチメントがフランジが上側になる前記口栓のフランジを保持する縁を備えており、このアタッチメント付きタイミングベルトの回転により、アタッチメントと共にアタッチメントに載っている口栓を上昇させるものであり、
前記口栓移載後段部は、前記アタッチメント付きタイミングベルトで送られてきた口栓をシュートに移載させるものであり、
前記シュートは前記アタッチメント付きタイミングベルトから供給された口栓を口栓取り付け工程に供給するものであることを特徴とする口栓供給装置。
【請求項５】
液体用紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーと送りベルトとプロフィル付きベルトと選別部を有する直進フィーダ部とガイドとアタッチメント付きタイミングベルトと口栓移載機構とシュートを備えて構成され、
前記ホッパーは口栓を投入する場所で、口栓を落下させ、
前記送りベルトは、ホッパーに投入された口栓を前記プロフィル付きベルトに供給し、
前記プロフィル付きベルトは、口栓を上昇させ、選別部を有する直進フィーダ部に供給し、
前記選別部を有する直進フィーダ部は、前記フランジが上側となる前記口栓のフランジの高さより低い側板を備えると共に、前記フランジが下側となる前記口栓を下方に落下させる選別部を有しており、フランジが上になるものだけのものを分別し、前記口栓移載前段部に口栓を搬送し、
前記口栓移載前段部は、前記選別シュートからの口栓を前記アタッチメント付きタイミングベルトのアタッチメントに口栓を移載させるものであり、
前記アタッチメント付きタイミングベルトは、前記口栓移載前段部でアタッチメントに移載された口栓を上昇させるものであり、
前記口栓移載後段部は、前記アタッチメント付きタイミングベルトで送られてきた口栓をシュートに移載させるものであり、
前記シュートは前記アタッチメント付きタイミングベルトから供給された口栓を口栓取り付け工程に供給するものであることを特徴とする口栓供給装置。
【発明の詳細な説明】
【技術分野】
【０００１】
本発明は、液体用紙容器の充填ラインのカートン口栓取り付け部への口栓供給に関するものである。
【背景技術】
【０００２】
液体用紙容器１００は図２１で示されるような概観をもったもので、少なくとも内外表面に熱可塑性樹脂層を設けた紙基材の積層体を有するカートンを筒状に組み立てることによって形成される。これには図２２のような概観の口栓１５が付いている。図２３で示すように内容物の液体充填ラインにおいては、液体用紙容器のカートン１は畳まれた状態でカートン補充部２２０に補充されカートン集積部２２１に集積される。畳まれたカートン１をカートン成型部２３０でひろげ、折り曲げ、ボトムシール部２４０では底部３０を溶着して成形し、口栓投入部２１１で投入された口栓を口栓供給装置２１０により口栓取り付け部２００に送給して口栓取り付け孔２（図２４）に取り付け、口栓溶着部２５０で口栓１５を口栓取り付け孔２に溶着で取り付け、充填部２６０で内容物の液体を充填した後、トップシール部２７０でカートン１を折り曲げ頂部１０を溶着している。
【０００３】
図２５で示すように、従来の液体用紙容器の充填ラインの口栓取り付け部においては、ホッパー５１に口栓を供給すると、パーツフィーダ７１に口栓１５は移動し、口栓１５は姿勢を整え、シュート９９内を自重で移動し、下部の口栓取り付け部２００に供給されるようになっている。その際、口栓取り付け部２００への口栓１５の供給は、作業者が階段２１９などを登って高い位置から供給せねばならなく、労力がかかっていて、作業の安全性にも問題があった。
【０００４】
また、口栓投入部２１１とカートン補充部２２０の間が離れているため、口栓投入とカートン補充作業に関する作業者の動線が長くなり、作業効率を悪くしていた。
【０００５】
口栓１５を口栓取り付け部２００に供給する方法として、パーツフィーダを密閉空間で覆い、その空間をエアーで高圧にして、パーツフィーダから供給される口栓を、口栓空送管で、姿勢を整えながら、口栓取り付け部２００に供給する装置が知られている（特許文献１）。しかし、エアーの供給量は相当なものとなるため、コスト的に問題があった。また、パーツフィーダの周囲を密閉、高圧に保たなければならないが、ホッパーからの口栓の供給時には開放されるため、開放のタイミングに関して注意が必要であった。
【０００６】
また、パーツフィーダから送りこむ口栓を、水平シュート、横シュート内を横移動し、さらに口栓の姿勢を変える回転軸で構成される装置により、高い位置での口栓の供給を回避する装置が知られている（特許文献２）。しかし、口栓を横移動させるだけなので、パーツフィーダを低い位置におくことはできず、口栓を供給する作業をするのに適性な高さを得ることができなかった。
【先行技術文献】
【特許文献】
【０００７】
【特許文献１】特開平６−２１９５５４号公報
【特許文献２】特許２００３−３１１８５４号公報
【発明の概要】
【発明が解決しようとする課題】
【０００８】
液体用紙容器の充填ラインの口栓取り付け装置へ口栓を供給する口栓供給装置において
、階段に登るなどして口栓を高い位置から供給するのではなく、適正な作業位置で口栓を供給することができ、製造コストが安く、使い勝手の良い口栓供給装置を提供する。
【課題を解決するための手段】
【０００９】
本発明は上記課題を解決するためになされたもので、本発明の請求項１の発明は、液体用紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーと送りベルトと回転ドラムとプレートと直進フィーダ部と回転供給手段前段部と上昇ベルト部と回転供給手段後段部とシュートを備えて構成され、
前記ホッパーは口栓を投入する場所で、口栓を落下させ、
前記送りベルトは、ホッパーから落下する口栓を回転ドラム内に供給するものであり、
前記回転ドラムの内部に、円柱状のシャフトが、この回転ドラムの円周に沿って、口栓
本体の径よりも若干大きい寸法で等間隔に配置されており、前記回転ドラムはこれを回転することにより前記口栓のキャップをシャフトに引っ掛けて上昇させ、フランジが下の口栓を前記プレートに落下させ、
前記直進フィーダ部は、前記プレートに落下した口栓を前記回転供給手段前段部まで搬送するものであり、
前記回転供給手段前段部は、直進フィーダ部から搬送された口栓の搬送の向きを上方に変えて、前記上昇ベルトに口栓を供給するものであり、
前記上昇ベルト部は口栓を垂直に上昇させるものであり、前記回転供給手段後段部に口栓を供給し、
前記回転供給手段後段部は、上昇ベルト部で上昇してきた口栓の搬送の向きをシュートの方向に変え、前記シュートに口栓を供給し、
前記シュートは前記回転供給手段後段部から供給された口栓を口栓取り付け工程に供給するものであることを特徴とする口栓供給装置である。
【００１０】
本発明の請求項２の発明は、液体用紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーと送りベルトとプロフィル付きベルトと選別部を有する直進フィーダ部と回転供給手段前段部と上昇ベルト部と回転供給手段後段部とシュートを備えて構成され、
前記ホッパーは口栓を投入する場所で、口栓を落下させ、
前記送りベルトは、ホッパーから落下する口栓を前記プロフィル付きベルトに供給し、
前記プロフィル付きベルトは、口栓を上昇させ、選別部を有する直進フィーダ部に供給し、
前記選別部を有する直進フィーダ部は、前記フランジを収容する凹みを下部に有すると共に、前記フランジが上側となる前記口栓を下方に落下させる大きさを有しており、フランジが下側になる前記口栓だけを前記回転供給手段前段部まで搬送し、
前記回転供給手段前段部は、前記ガイド前段で搬送中の口栓の搬送の向きを上方に変えて、前記上昇ベルトに口栓を供給するものであり、
前記上昇ベルト部は口栓を垂直に上昇させるものであり、前記回転供給手段後段部に供給し、
前記回転供給手段後段部は、上昇ベルト部で上昇してきた口栓の搬送の向きをシュートの方向に変え、シュートに口栓を供給するものであり、
前記シュートは前記回転供給手段後段部から供給された口栓を口栓取り付け工程に供給するものであることを特徴とする口栓供給装置である。
【００１１】
本発明の請求項３の発明は、液体紙容器充填ラインにおいて、紙容器に付ける口栓の供給装置であって、
前記口栓が口栓本体とキャップとから成り、この口栓本体が液体用紙容器に溶着するフ
ランジとこのフランジから立設する筒状部とを有し、前記キャップが前記筒状部を覆っているものであって、
ホッパーとパーツフィーダと直線フィーダ部と回転供給手段前段部と上昇ベルト部と回転供給手段後段部とシュートを備えて構成され、
前記ホッパーは口栓を投入する場所で、口栓を落下させ、
前記パーツフィーダは、その容器の内部に螺旋状通路が形成され、その容器に振動を与えることで螺旋状通路に沿って口栓が外周部に向かって移動する構造となっており、螺旋状通路の外壁は前記フランジを収容する凹みを下部に有すると共に、前記フランジが上側となる前記口栓を下方に落下させる大きさを有しており、ホッパーから落下する口栓において、フランジが下側になる前記口栓だけを上方に移動させ、前記直線フィーダに口栓を供給するもので、
前記直線フィーダ部は、前記パーツフィーダから出てきた口栓を前記回転供給手段前段部に口栓を供給するものであり、
前記回転供給手段前段部は、前記直線フィーダの出力の口栓の搬送の向きを上方に変え、前記上昇ベルト部に供給するものであり、
前記上昇ベルト部は口栓を垂直に上昇させ、前記回転供給手段後段部に供給し、
前記回転供給手段後段部は、上昇ベルト部で上昇してきた口栓の搬送の向きをシュートの方向に変え、前記シュートに口栓を供給し、
前記シュートは前記回転供給手段後段から供給された口栓を口栓取り付け工程に供給するものであることを特徴とする口栓供給装置である。
【００１２】
本発明の請求項４の発明は、液体用紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーとパーツフィーダと直線フィーダ部と口栓移載前段部とアタッチメント付きタイミングベルトと口栓移載後段部とシュートを備えて構成され、
前記ホッパーは口栓を投入する場所で、口栓を落下させ、
前記パーツフィーダは、その容器の内部に螺旋状通路が形成され、その容器に振動を与えることで螺旋状通路に沿って口栓が外周部に向かって移動する構造となっており、螺旋状通路の外壁は、前記フランジが上側となる前記口栓のフランジの高さより低い側板を備えると共に、前記フランジが下側となる前記口栓を下方に落下させる構造を有しており、ホッパーから落下する口栓において、フランジが上側になる前記口栓だけを、上方に移動させ、前記直線フィーダーに供給するもので、
前記直線フィーダ部は、前記パーツフィーダの出力の口栓を前記口栓移載前段部まで移動させ、
前記口栓移載前段部は、前記直線フィーダからの口栓を前記アタッチメント付きタイミングベルトのアタッチメントに口栓を移載させるものであり、
前記アタッチメント付きタイミングベルトにはアタッチメントが固定されており、このアタッチメントがフランジが上側になる前記口栓のフランジを保持する縁を備えており、このアタッチメント付きタイミングベルトの回転により、アタッチメントと共にアタッチメントに載っている口栓を上昇させるものであり、
前記口栓移載後段部は、前記アタッチメント付きタイミングベルトで送られてきた口栓をシュートに移載させるものであり、
前記シュートは前記アタッチメント付きタイミングベルトから供給された口栓を口栓取り付け工程に供給するものであることを特徴とする口栓供給装置である。
【００１３】
本発明の請求項５の発明は、液体用紙容器充填ラインにおいて、紙容器に付ける口栓の供給装置であって、
前記口栓が口栓本体とキャップとから成り、この口栓本体が液体用紙容器に溶着するフランジとこのフランジから立設する筒状部とを有し、前記キャップが前記筒状部を覆っているものであって、
ホッパーと送りベルトとプロフィル付きベルトと選別部を有する直進フィーダ部とガイドとアタッチメント付きタイミングベルトと口栓移載機構とシュートを備えて構成され、
前記ホッパーは口栓を投入する場所で、口栓を落下させ、
前記送りベルトは、ホッパーに投入された口栓を前記プロフィル付きベルトに供給し、
前記プロフィル付きベルトは、口栓を上昇させ、選別部を有する直進フィーダ部に供給し、
前記選別部を有する直進フィーダ部は、前記フランジが上側となる前記口栓のフランジの高さより低い側板を備えると共に、前記フランジが下側となる前記口栓を下方に落下させる選別部を有しており、フランジが上になるものだけのものを分別し、前記口栓移載前段部に口栓を搬送し、
前記口栓移載前段部は、前記選別シュートからの口栓を前記アタッチメント付きタイミングベルトのアタッチメントに口栓を移載させるものであり、
前記アタッチメント付きタイミングベルトは、前記口栓移載前段部でアタッチメントに移載された口栓を上昇させるものであり、
前記口栓移載後段部は、前記アタッチメント付きタイミングベルトで送られてきた口栓をシュートに移載させるものであり、
前記シュートは前記アタッチメント付きタイミングベルトから供給された口栓を口栓取り付け工程に供給するものであることを特徴とする口栓供給装置である。
【発明の効果】
【００１４】
液体用紙容器充填ラインの口栓取り付け装置において、作業者は、階段などを使わず、作業性のよい位置で口栓を口栓取り付け装置に供給できる。
【図面の簡単な説明】
【００１５】
【図１】本発明の第１実施形態に係わる口栓供給装置の基本的な構成の説明図。
【図２】本発明の第１実施形態に係わる口栓供給装置における回転ドラム、プレート、直進フィーダ部の説明図。
【図３】本発明の第１実施形態に係わる口栓供給装置における直進フィーダ部、プレートの説明図。
【図４】（ａ）は本発明の第１実施形態に係わる口栓供給装置における直進フィーダ部のシュート部の説明図、（ｂ）は図４（ａ）のｆ−ｆ線断面図。
【図５】本発明の第１実施形態に係わる口栓供給装置において、回転供給手段前段部の送りブラシ部から上昇ベルト部への口栓の動作を説明する図。
【図６】（ａ）は本発明の第１実施形態に係わる口栓供給装置において、上昇ベルト部の基本的な構造を説明する図、（ｂ）は上昇ベルト部における口栓の動作を説明する図。
【図７】本発明の第１実施形態に係わる口栓供給装置において、回転供給手段後段部送りのブラシ部からシュートへの口栓の動作を説明する図。
【図８】（ａ）は本発明の第１実施形態に係わる口栓供給装置のシュートの基本的な構造を説明する図、（ｂ）は図８（ａ）のｈ−ｈ線断面図、（ｃ）は図８（ａ）のｉ−ｉ線断面図。
【図９】本発明の第２実施形態に係わる口栓供給装置の基本的な構成の説明図。
【図１０】（ａ）は本発明の第２実施形態に係わる口栓供給装置の選別部付き直線フィーダ部の基本的な構造の説明図。
【図１１】（ａ）は本発明の第２実施形態に係わる口栓供給装置の選別部付き直線フィーダ部の選別部において、フランジが下になる口栓の模様を説明する図、（ｂ）は選別部付き直線フィーダ部の選別部において、フランジが下になる口栓の模様を説明する図。
【図１２】本発明の第３実施形態に係わる口栓供給装置の基本的な構成の説明図。
【図１３】本発明の第３実施形態に係わる口栓供給装置の直進フィーダ部の基本的な構成の説明図。
【図１４】本発明の第４実施形態に係わる口栓供給装置の基本的な構成の説明図。
【図１５】（ａ）は本発明の第４実施形態に係わる口栓供給装置のパーツフィーダの外周通過部において、フランジが上になる口栓の模様を説明する図、（ｂ）はパーツフィーダの外周通過部において、フランジが下になる口栓の模様を説明する図。
【図１６】本発明の第４実施形態に係わる口栓供給装置の直進フィーダ部の基本的な構成の説明図。
【図１７】（ａ）は本発明の第４実施形態に係わる口栓供給装置のアタッチメント付きベルトにおいて、アタッチメントの基本的な構造を説明する図。（ｂ）はアタッチメント付きベルトのアタッチメントに口栓が搭載された模様を説明する図。
【図１８】本発明の第５実施形態に係わる口栓供給装置の基本的な構成の説明図。
【図１９】本発明の第５実施形態に係わる口栓供給装置の選別部付き直進フィーダ部の基本的な構成の説明図。
【図２０】（ａ）は本発明の第５実施形態に係わる口栓供給装置の選別部付き直進フィーダ部の選別部において、フランジが上になる口栓の模様を説明する図、（ｂ）は選別部付き直進フィーダ部の選別部において、フランジが下になる口栓の模様を説明する図。
【図２１】液体用紙容器の斜視図。
【図２２】液体用紙容器の口栓の斜視図。
【図２３】（ａ）は従来の液体用紙容器の充填ラインの基本的な構成を説明する側面図、（ｂ）は従来の液体用紙容器の充填ラインの基本的な構成を説明する上面図。
【図２４】カートンと口栓取り付け孔と口栓取り付け孔への口栓の供給ルートを模式的に説明する説明図。
【図２５】従来の液体用紙容器の充填ラインにおける口栓供給装置と、作業者による口栓の供給動作の説明図。
【図２６】（ａ）本実施の形態における口栓投入部とカートン補充部が充填ラインの同じ側にある場合のお互いの位置と作業者の関係を模式的に表した図、（ｂ）本実施の形態における口栓投入部とカートン補充部が充填ラインの両側にある場合のお互いの位置と作業者の関係を模式的に表した図。
【発明を実施するための形態】
【００１６】
以下、本発明の第１実施形態に係わる口栓供給装置について添付図面を参照して説明する。
【００１７】
図１は、本発明の第１実施形態に係わる口栓供給装置の基本的構成を説明する図である。図１に示すように、口栓供給装置は、ホッパー５１と送りベルト５２と回転ドラム５３とプレート５４と直進フィーダ部５５と回転供給手段前段部５６と上昇ベルト部５７と回転供給手段後段部５８とシュート５９を備えて構成される。
【００１８】
ホッパー５１と送りベルト５２と回転ドラム５３とプレート５４と直進フィーダ部５５と回転供給手段前段部５６と上昇ベルト部５７の下部は液体用紙容器充填ライン台３００の中に配置させられる。
【００１９】
また、ホッパー５１と送りベルト５２と回転ドラム５３とプレート５４と直進フィーダ部５５と回転供給手段前段部５６と上昇ベルト部５７を液体用紙容器充填ライン台３００の上に配置してもよい。
【００２０】
ホッパー５１は作業者が口栓１５を投入する場所で、ホッパー５１の下部には、開閉する門がある。作業者が投入した口栓１５のバッファーの役目を果たす。回転ドラム５３
内には、回転ドラム内の口栓１５の量を計数する不図示のセンサーがあり、このセンサーにより回転ドラム５３内の口栓１５の量を計数して、不足量と判断した時、ホッパー５１の下部の門を開き、口栓１５を回転ドラム５３に落下させる。
【００２１】
送りベルト５２は、ホッパーから落下してきた口栓１５を回転ドラム内に供給するものである。
【００２２】
図２で示されるように、回転ドラム５３は、内部に円柱状のシャフト５３ａが口栓本体６の径よりも若干大きい寸法で等間隔に、回転ドラム円周に沿って配置される構造をしていて、常に回転している。回転ドラム５３内に落下した口栓１５の中で、シャフト５３ａの間にキャップ７の方が引っ掛かったものは、回転ドラム５３の回転にともない、上部にいった時点でフランジ５を下にした姿勢で、回転ドラム５３内のプレート５４の上に落下する。
【００２３】
図３で示されるように直進フィーダ部５５は、シュート部５５ａと振動部５５ｂから構成され、シュート部５５ａは図４で示されるような構造をしている。
【００２４】
図３で示されるように、プレート５４は直進フィーダ部５５のシュート部５５ａにアタッチメント４９を介して結合しており、直進フィーダ部５５の振動部５５ｂの振動の影響を受け、直進フィーダ部５５のアタッチメント４９さらにシュート部５５ａの方に移動する。そこで一部の口栓は直進フィーダ部５５のシュート部５５ａに入り込む。その口栓１５は、シュート部を、直進フィーダ部５５ｂの振動により、直進フィーダ部５５のシュート部５５ａ上を移動し回転供給手段前段部５６まで搬送される。回転供給手段前段部として送りブラシを使用する。
【００２５】
なお、図４（ａ）で示されるようにシュート部５５ａには、口栓の飛び出しを防止するための飛び出し防止ガイド５５ｃが付いている。
【００２６】
図５で示されるように前記回転供給手段前段部５６では送りブラシ５６ａを離れて板５６ｂが覆い、その間を直進フィーダ部５５のシュート部５５ａから送られた口栓１５が挟まれながら、送りブラシ５６ａの回転にともない、送りブラシ５６ａ上を向きを変えながら移動する。
【００２７】
そして図６で示されるように、上昇ベルト部５７は、回転供給手段前段部５６に隣接しており、上昇ベルト部５７のプーリ５７ｂ間でゴムベルト５７ａが高さを交互にかえ架けられて上方に伸びており、それが２列ある。
【００２８】
板５６ｂに隣接する上昇ベルト部５７に、口栓１５を送給する。そして口栓１５は、上昇ベルト部５７のプーリ５７ｂ間で架けられている上昇ベルト部５７のゴムベルト５７ａ間に挟まれながら、上昇していく。その２列におけるプーリ５７ｂの位置は同じ高さに置かれないように設置する。２列におけるプーリ５７ｂが同じ高さにある場合、口栓１５の上昇がそこで止まる可能性があるためである。
【００２９】
前記上昇ベルト部５７を上昇していった口栓１５は前記回転供給手段後段部５８に到達する。回転供給手段後段部５８として送りブラシ５８ａを使用する。
【００３０】
図７で示されるように上昇ベルト部５７を上昇してきた口栓１５は、送りブラシ５８ａ
と板５８ｂの間に挟まれ、送りブラシ５８ａの回転にともない向きを変えながら移動し、シュート５９に到達する。
【００３１】
シュート５９は図８で示されるような構造をしており、口栓が移動するガイドレールの役目をする。シュート５９は２本の板の上を口栓１５のフランジ５が載って、すなわちフランジ５を上にして移動する。その上には、口栓が飛び出さないための飛び出し防止ガイド５９ｃを有している。また、シュート５９はところどころ２本の板の間を固定する強度保持板５９ｄがある。
【００３２】
シュート５９においては、フランジ５を上にしながらシュート５９の板部に挟まれるようにしながら、口栓１５の自重で、口栓取り付け装置２００に移動する。
【００３３】
口栓１５はシュート５９を通じて、口栓取り付け装置２００に到達し、口栓１５を送給する。
【００３４】
口栓取り付け装置２００では、図示しないが、口栓１５を液体用紙容器用カートンに溶着する。
【００３５】
回転供給手段前段部５６と回転供給手段後段部５８は、送りブラシを使った方法に限定されない。他の方法による回転供給機構としてターレット機構もしくはエアブローによる送り機構を使ってもよい。
【００３６】
上記のように、第１実施形態の口栓供給装置によれば、液体用紙容器充填ラインの口栓取り付け装置において、作業者は、以前の図２５のように階段２１９などを使わず、口栓１５を口栓取り付け装置に容易に供給できる。さらに、図２６（ａ）に示されるように口栓供給部２１１とカートン補充部２２０が液体用紙容器充填ラインの同じ側にあって、口栓投入部２１１とカートン補充部２２０の間が１０ｍ以下、より好ましくは２ｍ以下、さらに好ましくは１ｍ以下の距離に置かれると、口栓投入作業とカートン補充作業に関して動線が以前に比べて少なく、作業性が向上する。また、充填ラインの都合上、図２６（ｂ）に示されるように、口栓供給部２１１とカートン補充部２２０が液体用紙容器充填ラインの両側にあった場合でも、階段２１９に登って口栓１５を投入することにはならないので、作業性が向上する。
【００３７】
また、本発明の第２実施形態に係わる口栓供給装置について添付図面を参照して説明する。
【００３８】
図９は、本発明の第２実施形態に係わる口栓供給装置の基本的構成を説明する図である。図９に示すように、口栓供給装置は、ホッパー５１と送りベルト５２０とプロフィル付きベルト６１と選別部付き直進フィーダ部６２と回転供給手段前段部５６と上昇ベルト部５７と回転供給手段後段部５８とシュート５９を備えて構成される。
【００３９】
ホッパー５１と送りベルト５２０とプロフィル付きベルト６１と選別部付き直進フィーダ部６２と回転供給手段前段部５６と上昇ベルト部５７の下部は液体用紙容器充填ライン台３００の中に配置させられる。
【００４０】
また、ホッパー５１と送りベルト５２０とプロフィル付きベルト６１と選別部付き直進フィーダ部６２と回転供給手段前段部５６と上昇ベルト部５７を液体用紙容器充填ライン台３００の上に配置してもよい。
【００４１】
ホッパー５１は作業者が口栓１５を投入する場所で、ホッパーの下部には、開閉する門
がある。作業者が投入した口栓１５のバッファーの役目を果たす。送りベルト５２０の上には口栓１５の量を計数する不図示のセンサーがあり、このセンサーにより口栓１５の量を計数して、不足量と判断した時にホッパー５１の下部の門を開き、口栓１５を下部の送りベルト５２０の上に落下させる。
【００４２】
送りベルト５２０は、ホッパーから落下してきた口栓１５をプロフィル付きベルト６１に供給するものである。
【００４３】
プロフィル付きベルト６１では、送りベルト５２０から供給された口栓１５を上昇させ選別部付き直進フィーダ部６２に供給する。口栓回収ボックス６３において口栓１５がたまれば、口栓１５を回収し再利用する。選別部付き直進フィーダ部より落下した口栓１５は回収ボックス６３に受け止められ、プロフィル付きベルト６１に再びすくい上げられる。
【００４４】
図１０で示されるように選別部付き直進フィーダ部６２は、シュート部６２ａと振動部６２ｂと選別部６２ｃから構成される。選別部６２ｃはシュート部６２ａにつながっており、振動部６２ｂの振動によって、選別部６２ｃ上のものはシュート部６２ａの方向に、口栓１５は移動し、シュート部６２ａ上の口栓１５は送りブラシ前段部５６の方向に移動する。選別部６２ｃの底板は、シュート部６２ａの底板と面を一つにするよう接続しており、選別部６２ｃからシュート部６２ａに達した口栓１５はシュート部６２ａに挿入され、シュート部６２ａ上を移動する。
【００４５】
選別部６２ｃは図１１（ａ）で模式的に示されるように、側板６２ｄの形状により口栓１５のフランジ５が下のものは、通過するが、図１１（ｂ）に模式的に示されるように、フランジ５が上のものは、通過せず、下部の口栓回収ボックス６３に落下する。口栓回収ボックス６３に落下した口栓１５はプロフィル付きベルト６１により再びすくい上げられる。
【００４６】
シュート部６２ａは図４で示される５５ａと同様の構造で、フランジ５が下にある口栓１５を移動する。
【００４７】
シュート部６２ａ上の口栓１５は、図４で示される５５ａと同様の構造で、フランジ５が下にある口栓１５を移動し、回転供給手段前段部５６に到達する。
【００４８】
後は、第１実施形態の回転供給手段前段部５６に口栓が到達してからの記述と同じである。
【００４９】
上記のように、第２実施形態の口栓供給装置によれば、液体用紙容器充填ラインの口栓取り付け装置において、作業者は、以前の図２５のように階段２１９などを使わず、口栓を口栓取り付け装置に容易に供給できる。さらに、図２６（ａ）に示されるように口栓供給部２１１とカートン補充部２２０が液体用紙容器充填ラインの同じ側にあって、口栓投入部２１１とカートン補充部２２０の間が１０ｍ以下、より好ましくは２ｍ以下、さらに好ましくは１ｍ以下の距離に置かれると、口栓投入作業とカートン補充作業に関して動線が以前に比べて少なく、作業性が向上する。また、充填ラインの都合上、図２６（ｂ）に示されるように、口栓供給部２１１とカートン補充部２２０が液体用紙容器充填ラインの両側にあった場合でも、階段２１９に登って口栓を投入することにはならないので、作業性が向上する。
【００５０】
また、本発明の第３実施形態に係わる口栓供給装置について添付図面を参照して説明する。
【００５１】
図１２は、本発明の第３実施形態に係わる口栓供給装置の基本的構成を説明する図である。図１２に示すように、口栓供給装置は、ホッパー５１とパーツフィーダ７１と直進フィーダ７２と回転供給手段前段部５６と上昇ベルト部５７と回転供給手段後段部５８とシュート５９を備えて構成される。
【００５２】
ホッパー５１とパーツフィーダ７１と直進フィーダ７２回転供給手段前段部５６と上昇ベルト部５７の下部は液体用紙容器充填ライン台３００の中に配置させられる。
【００５３】
また、ホッパー５１とパーツフィーダ７１と直進フィーダ７２と回転供給手段前段部５６と上昇ベルト部５７を液体用紙容器充填ライン台３００の上に配置してもよい。
【００５４】
ホッパー５１は作業者が口栓１５を投入する場所で、ホッパーの下部には、開閉する門がある。作業者が投入した口栓１５のバッファーの役目を果たす。パーツフィーダ７１内には口栓１５の量を計数する不図示のセンサーがあり、このセンサーがパーツフィーダ７１内の口栓１５の量を計数して、不足量と判断した時にホッパー５１の下部の門を開き、口栓１５を下部のパーツフィーダ７１の上に落下させる。
【００５５】
パーツフィーダ７１は容器内部に螺旋状通路が形成されており、容器に振動を与えることにより、螺旋状通路にそって投入された口栓が、外周部に向かって移動する。容器の外周に沿って敷設する通路において、フランジ５が上の口栓１５は弾かれて容器の中央に向かって落下し、フランジが下の口栓１５のみ通過するようになっている。フランジが下のものだけを通過させるのは、図１１（ａ）図の側板６２ｄと同様の構造を持つ外壁構造が、パーツフィーダ７１の外周通過部にあるからである。
【００５６】
パーツフィーダ７１の外周通過部を通過したフランジ５が下の口栓１５は、パーツフィーダ外周出口に接続された直進フィーダ部７２に送給される。
【００５７】
直進フィーダ７２は図１３のようにシュート部７２ａと振動部７２ｂから構成される。シュート部７２ａは図４で示されるものと同様の構造を持ち、フランジ５が下の口栓１５を移動させられるものであり、振動部７２ｂの振動により、口栓１５を回転供給手段前段部５６の方向に移動する。
【００５８】
後は、第１実施形態の回転供給手段前段部５６に口栓が到達してからの記述と同じである。
【００５９】
上記のように、第３実施形態の口栓供給装置によれば、液体用紙容器充填ラインの口栓取り付け装置において、作業者は、以前の図２５のように階段２１９などを使わず、口栓１５を口栓取り付け装置に容易に供給できる。さらに、図２６（ａ）に示されるように口栓供給部２１１とカートン補充部２２０が液体用紙容器充填ラインの同じ側にあって、口栓投入部２１１とカートン補充部２２０の間が１０ｍ以下、より好ましくは２ｍ以下、さらに好ましくは１ｍ以下の距離に置かれると、口栓投入作業とカートン補充作業に関して動線が以前に比べて少なく、作業性が向上する。また、充填ラインの都合上、図２６（ｂ）に示されるように、口栓供給部２１１とカートン補充部２２０が液体用紙容器充填ラインの両側にあった場合でも、階段２１９に登って口栓１５を投入することにはならないので、作業性が向上する。
【００６０】
また、本発明の第４実施形態に係わる口栓供給装置について添付図面を参照して説明する。
【００６１】
図１４は、本発明の第４実施形態に係わる口栓供給装置の基本的構成を説明する図である。図１４に示すように、口栓供給装置は、ホッパー５１とパーツフィーダ８１と直進フィーダ８２と口栓移載前段部８３とアタッチメント付きベルト８４と口栓移載後段部８５とシュート５９を備えて構成される。
【００６２】
ホッパー５１とパーツフィーダ８１と直進フィーダ８２と口栓移載前段部８３とアタッチメント付きベルト８４の下部は液体用紙容器充填ライン台３００の中に配置させられる。
【００６３】
また、ホッパー５１とパーツフィーダ８１と直進フィーダ８２と口栓移載前段部８３はアタッチメント付きベルト８４を液体用紙容器充填ライン台３００の上に配置してもよい。
【００６４】
ホッパー５１は作業者が口栓１５を投入する場所で、ホッパーの下部には、開閉する門がある。作業者が投入した口栓１５のバッファーの役目を果たす。パーツフィーダ８１内には口栓１５の量を計数する不図示のセンサーがあり、このセンサーがパーツフィーダ８１内の口栓１５の量を計数して、不足量と判断した時にホッパー５１の下部の門を開き、口栓１５を下部のパーツフィーダ８１の上に落下させる。
【００６５】
パーツフィーダ８１は容器内部に螺旋状通路が形成されており、容器に振動を与えることにより、螺旋状通路にそって投入された口栓が、外周部に向かって移動し容器の外周に沿って敷設する通路に到達する。パーツフィーダ８１の外周通過部は図１５に示すような構造になっているので、この通路において、フランジ５が下の口栓１５は、はじかれ容器の中央に向かって落下し、フランジが上の口栓１５は通過するようになっている。
【００６６】
パーツフィーダ８１の外周通過部を通過したフランジ５が上の口栓１５は、パーツフィーダ外周出口に接続された、直進フィーダ８２に、送給される。
【００６７】
直進フィーダ部８２は図１６のようにシュート部８２ａと振動部８２ｂから構成される。シュート部８２ａは図８で示される構造と同様のものであり、フランジ５が上の口栓１５を移動させられるものであり、振動部８２ｂの振動により、口栓１５が口栓移載前段部８３の方向に移動する。
【００６８】
図１７（ａ）で示されるように、アタッチメント付きベルト８４は、アタッチメント８４ａを有している。
【００６９】
口栓移載前段部８３に到達した口栓１５は、口栓移載前段部８３によって、アタッチメント付きベルト８４のアタッチメント８４ａに移載される。図１７（ｂ）で示されるように、口栓１５のフランジ５をアタッチメント８４ａの縁で保持する。
【００７０】
フランジ５がアタッチメント８４ａで保持された口栓１５が、アタッチメント付きベルト８４の回転により上昇する。
【００７１】
口栓１５が、アタッチメント付きベルト８４の上部の口栓移載後段部８５に達すると、口栓移載後段部８５は、口栓１５をシュート５９に移載する。
【００７２】
なおアタッチメント付きベルト８４はアタッチメント付きチェーンでもかまわない。
【００７３】
シュート５９は、図８で示されるような構造をしており、口栓が移動するガイドレールの役目をする。シュート５９は２本の板の上を口栓１５のフランジ５が載って、すなわち
フランジ５を上にして、移動する。その上には、口栓が飛び出さないための飛び出し防止ガイド５９ｃを有している。また、シュート５９はところどころ２本の板の間を固定する強度保持板５９ｄがある。
【００７４】
口栓１５はシュート５９を通じて、口栓取り付け装置２００に到達し、口栓１５を送給する。
【００７５】
口栓取り付け装置２００では、図示しないが、口栓１５を液体用紙容器に溶着する。
【００７６】
上記のように、第４実施形態の口栓供給装置によれば、液体用紙容器充填ラインの口栓取り付け装置において、作業者は、以前の図２５のように階段２１９などを使わず、口栓を口栓取り付け装置に容易に供給できる。さらに、図２６（ａ）に示されるように口栓供給部２１１とカートン補充部２２０が液体用紙容器充填ラインの同じ側にあって、口栓投入部２１１とカートン補充部２２０の間が１０ｍ以下、より好ましくは２ｍ以下、さらに好ましくは１ｍ以下の距離に置かれると、口栓投入作業とカートン補充作業に関して動線が以前に比べて少なく、作業性が向上する。また、充填ラインの都合上、図２６（ｂ）に示されるように、口栓供給部２１１とカートン補充部２２０が液体用紙容器充填ラインの両側にあった場合でも、階段２１９に登って口栓１５を投入することにはならないので、作業性が向上する。
【００７７】
また、本発明の第５実施形態に係わる口栓供給装置について添付図面を参照して説明する。
【００７８】
図１８は、本発明の第５実施形態に係わる口栓供給装置の基本的構成を説明する図である。図１８に示すように、口栓供給装置は、ホッパー５１と送りベルト５２０とプロフィル付きベルト６１と選別部付き直進フィーダ部９２と口栓移載前段部８３とアタッチメント付きベルト８４と口栓移載後段部８５とシュート５９を備えて構成される。
【００７９】
ホッパー５１と送りベルト５２０とプロフィル付きベルト６１と選別部付き直進フィーダ部９２と口栓移載前段部８３とアタッチメント付きベルト８４の下部は液体用紙容器充填ライン台３００の中に配置させられる。
【００８０】
また、ホッパー５１と送りベルト５２０とプロフィル付きベルト６１と選別部付き直進フィーダ部９２と口栓移載前段部８３とアタッチメント付きベルト８４を液体用紙容器充填ライン台３００の上に配置してもよい。
【００８１】
ホッパー５１は作業者が口栓１５を投入する場所で、ホッパーの下部には、開閉する門がある。作業者が投入した口栓１５のバッファーの役目を果たす。送りベルト５２０の上には口栓１５の量を計数する不図示のセンサーがあり、このセンサーにより口栓１５の量を計数して、不足量と判断した時、ホッパー５１の下部の門を開き、口栓１５を下部の送りベルト５２０の上に落下させる。
【００８２】
送りベルト５２０は、ホッパーから落下してきた口栓１５をプロフィル付きベルト６１に供給するものである。
【００８３】
プロフィル付きベルト６１では、送りベルト５２０から供給された口栓１５を上昇させ選別部付き直進フィーダ部６２に供給する。選別部付き直進フィーダ部より落下した口栓１５は回収ボックス６３に受け止められ、プロフィル付きベルト６１に再びすくい上げられる。
【００８４】
図１９で示されるように選別部付き直進フィーダ部９２は、シュート部９２ａと振動部９２ｂと選別部９２ｃから構成される。選別部９２ｃはシュート部９２ａにつながっており、振動部９２ｂの振動によって、選別部９２ｃ上のものはシュート部９２ａの方向に、口栓１５は移動し、シュート部９２ａ上の口栓１５は送り口栓移載前段部８３の方向に移動する。選別部９２ｃの底部９２ｄは、シュート部９２ａの底板と面を一つにするよう接続しており、選別部９２ｃからシュート部９２ａに達した口栓１５はシュート部９２ａに挿入され、シュート部９２ａ上を移動する。
【００８５】
選別部９２ｃでは図２０（ａ）で模式的に示されるように、選別部９２ｃの形状により、口栓１５のフランジ５が上のものは、通過するが、図２０（ｂ）に模式的に示されるように、フランジ５が下のものは、通過せず、下部の口栓回収ボックス６３に落下する。口栓回収ボックス６３に落下した口栓１５はプロフィル付きベルト６１により再びすくい上げられる。
【００８６】
シュート部９２ａは図８で示されるシュート５９と同様の構造で、フランジ５が上にある口栓１５を移動し、口栓移載前段部８３に到達する。
【００８７】
後は、第４実施形態の、口栓移載前段部８３に口栓が到達してからの記述と同じである。
【００８８】
上記のように、第５実施形態の口栓供給装置によれば、液体用紙容器充填ラインの口栓取り付け装置において、作業者は、以前の図２５のように階段２１９などを使わず、口栓を口栓取り付け装置に容易に供給できる。さらに、図２６（ａ）に示されるように口栓供給部２１１とカートン補充部２２０が液体用紙容器充填ラインの同じ側にあって、口栓投入部２１１とカートン補充部２２０の間が１０ｍ以下、より好ましくは２ｍ以下、さらに好ましくは１ｍ以下の距離に置かれると、口栓投入作業とカートン補充作業に関して動線が以前に比べて少なく、作業性が向上する。また、充填ラインの都合上、図２６（ｂ）に示されるように、口栓供給部２１１とカートン補充部２２０が液体用紙容器充填ラインの両側にあった場合でも、階段２１９に登って口栓１５を投入することにはならないので、作業性が向上する。
【００８９】
なお、口栓１５をフィードする手段や口栓１５を上昇させる手段は、以上の形態だけにとらわれない。たとえばフィードする手段で第１実施形態で使用の回転ドラム５３を使用し、上昇する手段で、第４もしくは第５実施形態で使用したアタッチメント付きベルト８４を使用してもよい。
【符号の説明】
【００９０】
１００・・・液体用紙容器
１・・・カートン
２・・・口栓取り付け孔
１５・・・口栓
５・・・フランジ
６・・・口栓本体
７・・・キャップ
１０・・・頂部
２０・・・胴部
４９・・・アタッチメント
５１・・・ホッパー
５２・・・送りベルト
５３・・・回転ドラム
５４・・・プレート
５５・・・直進フィーダ部
５５ａ・・・シュート部
５５ｂ・・・振動部
５５ｃ・・・飛び出し防止ガイド
５５ｄ・・・底板
５６・・・回転供給手段前段部
５６ａ・・・送りブラシ
５６ｂ・・・板
５７・・・上昇ベルト部
５７ａ・・・ベルト
５７ｂ・・・プーリー
５８・・・回転供給手段後段部
５８ａ・・・送りブラシ
５８ｂ・・・板
５９・・・シュート
５９ｃ・・・飛び出し防止ガイド
５９ｄ・・・強度保持板
５２０・・・送りベルト
６１・・・プロフィル付きベルト
６２・・・選別部付き直進フィーダ部
６２ａ・・・シュート部
６２ｂ・・・振動部
６２ｃ・・・選別部
６２ｄ・・・側板
６３・・・口栓回収ボックス
７１・・・パーツフィーダ
７２・・・直進フィーダ部
８１・・・パーツフィーダー
８１ａ・・・選別部
８２・・・直進フィーダ部
８３・・・口栓移載前段部
８４・・・アタッチメント付きベルト
８４ａ・・・アタッチメント
８５・・・口栓移載後段部
９２・・・選別部付き直進フィーダ部
９２ａ・・・シュート部
９２ｂ・・・振動部
９２ｃ・・・選別部
９２ｄ・・・底部
９９・・・シュート部
２００・・・口栓取り付け部
２１０・・・口栓供給装置
２１１・・・口栓投入部
２１９・・・階段
２２０・・・カートン補充部
２２１・・・カートン集積部
２３０・・・カートン成形部
２４０・・・ボトムシール部
２５０・・・口栓溶着部
２６０・・・充填部
２７０・・・トップシール部
２８０・・・搬送コンベア部
３００・・・液体用紙容器充填ライン台
【図１】
0006606923.tif 000002
【図２】
0006606923.tif 000003
【図３】
0006606923.tif 000004
【図４】
0006606923.tif 000005
【図５】
0006606923.tif 000006
【図６】
0006606923.tif 000007
【図７】
0006606923.tif 000008
【図８】
0006606923.tif 000009
【図９】
0006606923.tif 000010
【図１０】
0006606923.tif 000011
【図１１】
0006606923.tif 000012
【図１２】
0006606923.tif 000013
【図１３】
0006606923.tif 000014
【図１４】
0006606923.tif 000015
【図１５】
0006606923.tif 000016
【図１６】
0006606923.tif 000017
【図１７】
0006606923.tif 000018
【図１８】
0006606923.tif 000019
【図１９】
0006606923.tif 000020
【図２０】
0006606923.tif 000021
【図２１】
0006606923.tif 000022
【図２２】
0006606923.tif 000023
【図２３】
0006606923.tif 000024
【図２４】
0006606923.tif 000025
【図２５】
0006606923.tif 000026
【図２６】
0006606923.tif 000027